(57)【要約】【課題】目的物の出し入れが簡単に行えると共に、多槽式となしたた床下収納庫であっても、１基の昇降装置によって各収納容器本体に付設した底板を昇降動作させることができるようになした床下収納庫を提供する。【解決手段】家屋の床下空間を利用した床下収納庫において、床下に配設する収納容器本体６の底部を開口させると共に、当該開口部９に底板１０を配置する。当該底板１０を、床下基礎面１５に設置した収納容器本体とは独立した昇降装置１４によって上下動させ、底板１０の上面に載置された目的物を出し入れできるようにした。【選択図】図２
0003112400.tif 000002
【実用新案登録請求の範囲】
【請求項１】
家屋の床下空間を利用した床下収納庫において、床下に配設する収納容器本体の底部を開口させると共に、当該開口部に底板を配置し、当該底板を、床下基礎面に設置した収納容器本体とは独立した昇降装置によって上下動させ、底板の上面に載置された目的物を取り出せるようにしたことを特徴とする床下収納庫。
【請求項２】
２槽以上の収納容器本体が床下に配設され、且つそれぞれが横方向に移動できるようになっており、昇降装置の設置位置まで所望の収納容器本体を移動させ、昇降装置によって当該所望の収納容器本体の底板を上昇させ、目的物を取り出せるようにした請求項１記載の床下収納庫。
【請求項３】
収納容器本体の横方向移動手段は、各収納容器本体の上面フランジ部に回転自在に軸架した車輪と、床板に開けた開口部の周縁に沿って付設した前記車輪が当接するレールとからなる請求項１および請求項２記載の床下収納庫。
【請求項４】
下胴部の外形が小さく、且つ上胴部に向けて徐々に外形が大きくなるように外周面を傾斜させた収納容器本体に対応させるため、底板の周囲に、硬質合成樹脂製の細長部材を軟質合成樹脂製の連結用帯状片を介して複数個連結してなる可変部材を取付けた請求項１ないし請求項３記載の床下収納庫。
【考案の詳細な説明】
【技術分野】
【０００１】
本考案は、家屋における床下の未利用空間を有効に活用できるようにした昇降式の床下収納庫に関する。
【背景技術】
【０００２】
一般家屋における例えば台所等の床板に開口部を開設し、蓋板によって当該開口部を開閉自在にすると共に、床下内部に日用品や食料品等を収納するための収納容器を設置することが行われている。
【０００３】
この床下の未利用空間を活用した収納容器本体から目的物を取り出すには、上面開口部を覆う蓋板を開けて、手を延ばして収納容器本体内から目的物を掴んで取り出す必要があり、高齢者や体の不自由な者にとっては甚だ厄介な作業であり、無理な姿勢を強いられるため転落する危険すらある。
【０００４】
また、重量のある物品や掴み難い物品の場合には、収納容器本体内の所定の位置に収納するのも中々大変な作業となる。そのため、次の特許文献１および特許文献２に示されているように、収納容器本体を電動機等からなる昇降装置によって床上まで上昇させる工夫がなされている。
【特許文献１】特開２０００−２７４２４公報
【特許文献２】特開２０００−１３６６２６公報
【考案の開示】
【考案が解決しようとする課題】
【０００５】
しかしながら、従来の昇降式床下収納庫にあっては、上記したように、収納容器の全体を昇降装置によって上昇させるものであるため、収納容器本体が床上に持ち上げられたとしても、深さのある容器の場合には側壁が障害となって、高齢者等にとっては、なお出し入れし難いという問題点がある。
【０００６】
また、従来の昇降式床下収納庫の場合、前記特許文献１および特許文献２に示されているように、収納容器本体、あるいは収納容器本体を支承する枠体と、昇降装置とが一体化されていることが多く、床下に複数の収納槽を配設することができないという問題点があった。さらに、Ｘ字形アーム機構や、ワイヤロープと滑車が不可欠になる等収納容器本体の昇降機構が複雑であり、取付け工事に困難を伴うことが多かった。
【０００７】
そこで、本考案は前記した従来の昇降式床下収納庫の問題点を解消し、目的物の出し入れが簡単に行えると共に、多槽式となした床下収納庫であっても、１基の昇降装置によって各収納容器本体の底板を昇降動作させることができるようになした床下収納庫を提供することを目的とするものである。
【課題を解決するための手段】
【０００８】
上記目的を達成するための本考案の構成を詳述すれば、請求項１に係る考案は、家屋の床下空間を利用した床下収納庫において、床下に配設する収納容器本体の底部を開口させると共に、当該開口部に底板を配置し、当該底板を、床下基礎面に設置した収納容器本体とは独立した昇降装置によって上下動させ、底板の上面に載置された目的物を取り出せるようにしたことを特徴とする床下収納庫である。これによって、目的とする品物の出し入れが容易となり、高齢者や体の不自由な者にとって非常に有効である。
【０００９】
請求項２に係る考案は、２槽以上の収納容器本体が床下に配設され、且つそれぞれが横方向に移動できるようになっており、昇降装置の設置位置まで所望の収納容器本体を移動させ、昇降装置によって当該所望の収納容器本体の底板を上昇させ、目的物を取り出せるようにした請求項１記載の床下収納庫である。これによって、床下収納の利点を充分引き出すことができる。
【００１０】
また、請求項３に係る考案は、収納容器本体の横方向移動手段は、各収納容器本体の上面フランジ部に回転自在に軸架した車輪と、床板に開けた開口部の周縁に沿って付設した前記車輪が当接するレールとからなる請求項１および請求項２記載の床下収納庫である。これによって、昇降装置の設置位置までの収納容器本体の横方向移動が容易となり、且つ収納容器本体を多槽式とすることができるので、全体の収納容量を向上させることができる。
【００１１】
さらに、請求項４に係る考案は、下胴部の外形が小さく、且つ上胴部に向けて徐々に外形が大きくなるように外周面を傾斜させた収納容器本体に対応させるため、底板の周囲に、硬質合成樹脂製の細長部材を軟質合成樹脂製の連結用帯状片を介して複数個連結してなる可変部材を取付けた請求項１ないし請求項３記載の床下収納庫であり、これによって、昇降動作中に品物が底板と収納容器本体の側壁との間に挟まる等のトラブルを回避することができるものである。
【００１２】
なお、収納容器本体自体が下胴部と上胴部を通じて同じ外形を有している場合には、このような可変部材を取付ける必要のないことは云うまでもない。
【考案の効果】
【００１３】
前記したように、本考案においては、収納容器全体ではなく、収納容器本体の底板のみを昇降動作させるようにしたので、目的物の出し入れがスムーズに行えると共に、昇降装置が収納容器本体と分離独立していることと、各収納容器本体が横移動可能なため、１基の昇降装置によって複数槽を別々に上下動させることができる。また、機構が簡単であるから、家屋の新築の場合だけでなく、既設の建物にも取付けることが可能である。
【考案を実施するための最良の形態】
【００１４】
以下、本考案に係る昇降式床下収納庫の具体的構成を図示の実施形態に基づき詳細に説明する。
【００１５】
図１は２槽式とした本考案床下収納庫の一実施形態を示す説明図、図２は収納容器本体の横方向移動手段の一例を示す説明図、図３は昇降装置の停止状態を示すもので底板が収納容器本体の底部開口を閉塞しているときの説明図、図４は昇降装置を運転して収納容器本体の底板を上昇させるときの説明図、図５は可変部材が取付けられた底板の一実施形態を示す平面図、図６は図５のＡ−Ａ線拡大断面図である。
【００１６】
図中１は根太２によって支持された床板であり、３は当該床板１に開設された開口部である。４はこの開口部３の一側縁に蝶番連結された蓋板であり、当該蓋板４に設けられた図示しない把手を掴んで開口部３を閉塞したり、開いたりすることができる。
【００１７】
５は前記開口部３の対向位置する周縁に沿って付設したレールであり、６はこのレール５によって支承された収納容器本体である。７は収納容器本体６の上面フランジ部８に回転自在に軸着された車輪であり、当該車輪７がレール５の上面に当接し、収納容器本体６はレール５に吊り下げられた状態で、レール５に沿って横方向に移動できるようになっている。
【００１８】
なお、図示する実施例においては、収納容器本体６は単槽ではなく、２槽配設した例を示すものであり、前記したレール５は開口部３の周縁のみならず、開口部３の対向する二辺の延長線上にも連続して付設してある。
【００１９】
収納容器本体６はその底部に開口部９が設けられており、当該開口部９の内側、すなわち収納容器本体６の内側となる部分に底板１０が配設されている。収納容器本体６はその上胴部から下胴部まで同一径となるように形成されたものを使用し得るのは勿論であるが、合成樹脂の射出成形等による成形手段の都合によっては、図１ないし図４に示すように下胴部の外形が小さく、且つ上胴部に向けて徐々に外形が大きくなるように外周面に傾斜が設けられた形状となる場合がある。
【００２０】
このような傾斜の設けられた収納容器本体６の場合には、後述する昇降装置によって底板１０を上昇させた場合、外径が徐々に拡開するため底板１０の周縁部と収納容器本体６の内壁面の間に隙間が生じ物品等が挟まるおそれがあるため、図５および図６に示すように底板１０の周囲に可変部材１１を取付けて底板１０の上昇時にも隙間が生じないようにしてある。
【００２１】
図示する実施例の可変部材１１は、硬質合成樹脂製の細長中空部材１２を折曲自在な軟質合成樹脂製の連結用帯状片１３を介して複数個連結して構成したもので、底板１０が上昇すると収納容器本体６の内壁面の間に生ずる隙間をこの可変部材１１が閉塞することとなる。
【００２２】
次に、図中１４はコンクリートスラブ、あるいは土間等からなる床下基礎面１５に設置した電動式の昇降装置であり、図示する実施例の場合には、床板１に設けた開口部３の真下に設置してある。なお、電動式の昇降装置自体は既知のものであり、詳細な説明は省略する。
【００２３】
昇降装置１４の図示しないスイッチをＯＮにすると、ロッド１６が伸長してきて、収納容器本体６の開口部９を介して底板１０の底面に当接し、物品を載せたまま上昇して底板１０の面と床板１の面が一致する位置にて停止し、所望の物品を容易に取り出すことができる。
【００２４】
床下に配設する収納容器本体６が単槽の場合には、前記した横方向の移動手段を付設することなく、昇降装置１４によって単一の収納容器本体６の底板１０を上下動させて物品の出し入れを行うことができるが、複数槽の場合には、次の手順によって各収納容器本体６の底板１０を昇降動作させる。
【００２５】
すなわち、図示する２槽の場合、図３に示すように電動式昇降装置１４はＢの位置の床下基礎面１５に設置してあり、Ａの位置にある収納容器本体６（Ｘ）の底板１０を上昇させるためには、先ず、Ｂの位置にある収納容器本体６（Ｙ）をＣの位置まで横移動させ、空いたＢの位置に収納容器本体Ｘを移動させる。そして、昇降装置１４のロッド１６を伸長させて収納容器本体Ｘの底板１０を上昇させて所望物品の出し入れを行う。
【００２６】
収納容器本体Ｙの底板１０を上昇させるには、Ｂの位置にある収納容器本体ＸをＡの位置まで移動させ、空いたＢの位置に収納容器本体Ｙを移動させて、昇降装置１４により底板１０を上昇させる。
【００２７】
本考案の第一の特徴点は以上のように、収納容器の全体を昇降装置によって床面まで上昇させるのではなく、収納容器本体の底部をなす底板のみを上昇させるようにしたことにあり、これによって所望物品の出し入れが従来より格段に楽になる。
【００２８】
第二の特徴点は昇降装置と収納容器本体とがそれぞれ別構成となっていることにあり、これによって１基の昇降装置によって複数の収納容器本体の底板を上下動させることができる。また、昇降装置と収納容器本体とはそれぞれ別構成となっているため、万一昇降装置に不具合が生じても、物品の出し入れ自体は可能である。
【００２９】
第三の特徴点は収納容器本体の形状が、下胴部の外形が小さく且つ上胴部に向けて徐々に外形が大きくなるように外周面を傾斜させたタイプのものであったとしても、底板の周囲に可変部材を取付けたことによって、昇降動作の際に収納容器の内壁面との間に隙間が生じないようにしたことにあり、これによって物品が挟まるのを有効に防止することができる。
【図面の簡単な説明】
【００３０】
【図１】２槽式とした本考案床下収納庫の一実施形態を示す説明図である。
【図２】収納容器本体の横方向移動手段の一例を示す説明図である。
【図３】昇降装置の停止状態を示すもので底板が収納容器本体の底部開口を閉塞しているときの説明図である。
【図４】昇降装置を運転して収納容器本体の底板を上昇させるときの説明図である。
【図５】可変部材が取付けられた底板の一実施形態を示す平面図である。
【図６】図５のＡ−Ａ線拡大断面図である。
【符号の説明】
【００３１】
１：床板
２：根太
３：開口部
４：蓋板
５：レール
６：収納容器本体
７：車輪
８：上面フランジ部
９：開口部
１０：底板
１１：可変部材
１２：細長中空部材
１３：連結用帯状片
１４：昇降装置
１５：床下基礎面
１６：ロッド
【図１】
0003112400.tif 000003
【図２】
0003112400.tif 000004
【図３】
0003112400.tif 000005
【図４】
0003112400.tif 000006
【図５】
0003112400.tif 000007
【図６】
0003112400.tif 000008